(57)【要約】【課題】  誤操作による誤った設定を行った場合でも、リモコンの簡易操作にて誤操作からの復帰を行うことが可能であるとともに、ユーザ側で復帰後の状態を選択可能なテレビジョン装置の提供を目的とする。【解決手段】当該テレビジョン装置１０への操作指示を操作履歴として記録する操作履歴記録手段（１３ｇ、１３ｈ）と、リモコン１２に設定されたパニックキー１２ｂ７が操作されると、操作履歴記録手段が記録した操作履歴に基づいて、パニックキー１２ｂ７が操作された以前に記録された操作履歴に対応する操作を行うことで誤操作からの復帰を行う誤操作復帰手段（１３ｇ、１３ｈ）とを有する。【選択図】図１
2007306061.tif 000002
【特許請求の範囲】
【請求項１】
外部機器からの映像、並びに音声を入力する複数の入力端子と、
画面上に各操作の設定を行うメニュー画面を表示するＯＳＤ回路と、
テレビジョン放送を受信して所定のチャンネルを画面に表示するとともに、映像の画質、並びに音声を変更可能な映像音声出力部と、
リモコンの操作に基づいて、上記入力端子の切り替えを行い、上記ＯＳＤ回路にメニュー画面の表示を指示し、上記映像音声出力部に表示された映像の画質、並びに音声の調整を指示するマイコンとを有するテレビジョン装置において、
上記マイコンは、チャンネルの切り替え操作と、入力端子の入力切り替え操作と、メニュー画面の表示に対応する操作と、画質調整に対応する操作と、音量の調整に対応する操作とのいずれかの操作であって、上記マイコンに入力された各操作の操作履歴を操作履歴テーブルとして記録部に記録し、
上記記録部は、上記リモコンに設定されたパニックキーを操作すると、上記リモコンの操作に基づいて、誤操作から復帰させるための復帰動作を行う誤操作復帰プログラムを記録し、
上記誤操作復帰プログラムは、上記リモコンの操作に基づいて、上記復帰動作を調整可能であって、上記パニックキーが操作されると、上記マイコンが、上記記録部に記録された操作履歴テーブルを画面に表示する指示を出し、上記操作履歴テーブルに記録された操作履歴を上記リモコンの操作を用いて画面上で選択すると、上記マイコンが、上記選択された操作履歴に対応する操作を指示することで誤操作からの復帰動作を実行し、
上記選択された操作履歴の選択回数が所定のしきい値以上である場合は、選択された上記操作履歴にまで復帰させるため操作を表す説明画面を画面上に表示することを特徴とするテレビジョン装置。
【請求項２】
リモコンの操作に基づいて、画面上に映像表示画面以外のメニュー画面、並びに入力切替画面を表示可能であるとともに、上記リモコンの操作に基づいて設定データが変更可能なテレビジョン装置において、
当該テレビジョン装置への操作指示を操作履歴として記録する操作履歴記録手段と、
上記リモコンに設定されたパニックキーが操作されると、上記操作履歴記録手段が記録した操作履歴に基づいて、上記パニックキーが操作された以前に記録された操作履歴に対応する操作を行うことで誤操作からの復帰を行う誤操作復帰手段とを有することを特徴とするテレビジョン装置。
【請求項３】
上記誤操作復帰手段は、上記パニックキーの操作に基づいて、
映像のない外部入力を表示した場合は、直前に表示していたチャンネル、または外部入力に切り替え、
放送のないチャンネルを表示した場合は、直前に表示していたチャンネル、または外部入力に切り替え、
メニュー画面を表示した場合は、上記メニュー画面を消去し、
画質調整により表示が変化した場合は、画質調整を初期設定に戻し、
音声が無音の場合は、ボリュームをデフォルトに戻すことを特徴とする請求項２に記載のテレビジョン装置。
【請求項４】
上記誤操作復帰手段は、上記パニックキーの操作に基づいて、上記操作履歴記録手段が記録した操作履歴を画面に表示することを特徴とする請求項２または請求項３のいずれかに記載のテレビジョン装置。
【請求項５】
上記誤操作復帰手段は、上記画面に表示した操作履歴を上記リモコンにて選択することで、上記選択された操作履歴の状態に設定を戻すことを特徴とする請求項４に記載のテレビジョン装置。
【請求項６】
上記操作履歴記録手段は、上記操作履歴上で選択した操作履歴の回数を記録しており、上記操作履歴が選択された回数に合わせて画面上に選択された上記操作履歴に対応する操作の説明を行う説明画面を表示することを特徴とする請求項４または請求項５のいずれかに記載のテレビジョン装置。
【請求項７】
上記誤操作復帰手段は、上記パニックキーの操作に連動して、上記操作履歴に記録された操作を一つずつ実行することを特徴とする請求項５に記載のテレビジョン装置。
【発明の詳細な説明】
【技術分野】
【０００１】
本発明は、テレビジョン装置に関し、特に、メニュー画面等で設定データを変更可能なテレビジョン装置に関する。 
【背景技術】
【０００２】
現在テレビジョン装置の設定データとしては、チャンネル切り替え、音量切り替え、ビデオ等の外部機器と接続する際の入力切替、さらには画質調整等が上げられる。上記した設定データは、リモコンからの操作はもちろん、ＯＳＤ映像を用いて表示したメニュー画面からも変更が可能である。上記した設定データを変更する際、画面にはチャンネル放送は表示されず、特に、メニュー画面や、入力切替の際表示される画面は、通常のチャンネル放送と異なり、画面に何も表示されれないか、何らかのＯＳＤ映像が表示されている
【０００３】
しかしながら、テレビジョン装置は、現在全世界に普及しておりそのため様々なバックグラウンドを持ったユーザが使用している。そういったユーザの中には上記した設定メニューの知識を持たず、テレビジョン装置を使用するユーザも存在している。上記したユーザが、誤操作により画面上に設定データを変更させてしまう場合も起こりうる。このような場合、上記したユーザは設定データの変更操作を認識していないため、テレビジョン装置自体が故障したと間違った判断を下す場合があった。また、設定データを変更してしまったことを認識している場合においても、メニュー画面の操作方法を熟知していない場合においては、画面を基に復帰させることができずユーザに煩わしい思いを抱かせる原因となっていた。
【０００４】
チャンネル選局を容易かつ迅速にする方法としては、チャンネル選局履歴データを記録する記録部と、上記記録部が記録したチャンネル選局履歴データに基づいて、上記チャンネル選局履歴データを表示する履歴表示手段とをリモコンに有し、チャンネルの予備知識がなくとも所望のチャンネルを選択できるリモコンが開示されている（例えば、特許文献１参照。）。
【０００５】
また、設定モードでの操作が分からなくなった場合に、解除キーを有するリモコンと、上記解除キーの操作に基づいて、設定データを事前の状態に戻すことで、操作に不慣れなユーザでも安心して操作することが可能なテレビジョン装置が開示されている（例えば、特許文献２参照。）。
【０００６】
さらに、リモコンの操作無しに、テレビジョン装置の初期設定を行うために、設定データを記録する記録手段と、上記記録手段に記録された設定データを選択する選択手段と、上記選択手段が選択した設定データを基に初期設定等の設定を行う設定手段とを有し、テレビジョン装置の電源をオンするたびに、電源オフ時の設定に戻すテレビジョン装置が開示されている（例えば、特許文献３参照。）。
【特許文献１】特開２００３ー３３３３５８
【特許文献２】特開平５−２９２４２０
【特許文献３】特開２００３ー６９９１７
【発明の開示】
【発明が解決しようとする課題】
【０００７】
上述した特許文献１の発明は、次のような課題があった。つまり、履歴表示手段によってチャンネルを容易かつ迅速に選択することは可能であるが、設定データを前に戻すような操作はできなかった。
【０００８】
また、特許文献２の発明は、次のような課題がった。つまり、解除キーを用いて設定前の状態に戻すことは可能であるが、誤操作からの復帰をユーザの任意の状態で選択することができなかった。また、現在どのような状態になっているかが分からないため、取り扱い説明書を見ること無しにはユーザは操作メニューを覚えることができなった。
【０００９】
また、特許文献３の発明は、次のような課題があった。つまり、設定を戻すためにわざわざ電源をオフにする必要があった。また、誤った設定を行った場合では基に戻すことは難しかった。
【００１０】
本発明は、上記課題にかんがみてなされたもので、誤操作による誤った設定を行った場合でも、リモコンの簡易操作にて誤操作からの復帰を行うことが可能であるとともに、ユーザ側で復帰後の状態を選択可能なテレビジョン装置の提供を目的とする。
【課題を解決するための手段】
【００１１】
上記課題を解決するために、本発明の請求項１にかかる発明では、外部機器からの映像、並びに音声を入力する複数の入力端子と、画面上に各操作の設定を行うメニュー画面を表示するＯＳＤ回路と、テレビジョン放送を受信して所定のチャンネルを画面に表示するとともに、映像の画質、並びに音声を変更可能な映像音声出力部とリモコンの操作に基づいて、上記入力端子の切り替えを行い、上記ＯＳＤ回路にメニュー画面の表示を指示し、上記映像音声出力部に表示された映像の画質、並びに音声の調整を指示するマイコンとを有するテレビジョン装置において、
上記マイコンは、チャンネル選択操作と、入力端子の入力切り替え操作と、メニュー画面の表示に対応する操作と、画質調整に対応する操作と、音量の調整に対応する操作とのいずれかの操作であって、上記マイコンに入力された各操作の操作履歴を操作履歴テーブルとして記録部に記録し、上記記録部は、上記リモコンに設定されたパニックキーを操作すると、上記リモコンの操作に基づいて、誤操作から復帰させる復帰動作を行う誤操作復帰プログラムを記録し、上記誤操作復帰プログラムは、上記リモコンの操作に基づいて、上記復帰動作を調整可能であって、上記パニックキーが操作されると、上記マイコンは、上記記録部に記録された操作履歴テーブルを画面に表示し、上記操作履歴テーブルに記録された操作履歴を上記リモコンの操作を用いて選択すると、上記マイコンは、上記選択された操作履歴に対応する操作を指示することで誤操作からの復帰動作を実行し、上記選択された操作履歴の選択回数が所定のしきい値以上である場合は、選択された上記操作履歴にまで復帰させるため操作を表す説明画面を画面上に表示する構成としてある。
【００１２】
上記のように構成した請求項１にかかる発明においては、マイコンは、チャンネル選択操作と、入力端子の入力切り替え操作と、メニュー画面の表示に対応する操作と、画質調整に対応する操作と、音量の調整に対応する操作とのいずれかの操作であって、マイコンに入力された各操作の操作履歴を操作履歴テーブルとして記録部に記録する。また、上記記録部は、上記リモコンに設定されたパニックキーを操作すると、上記リモコンの操作に基づいて、誤操作からの復帰させる復帰動作を行う誤操作復帰プログラムを記録する。上記誤操作復帰プログラムによって、上記パニックキーが操作されると、マイコンは、上記記録部に記録された操作履歴テーブルを画面に表示し、上記操作履歴テーブルに記録された操作履歴を上記リモコンの操作に基づいて、上記マイコンが選択するとともに、上記選択された操作履歴に対応する操作を指示することで誤操作からの復帰動作を実行し、上記選択された操作履歴の選択回数が所定のしきい値以上である場合は、選択された上記操作履歴にまで復帰させるため操作を表す説明画面を表示する。
【００１３】
また、上記目的を達成するために、請求項２に記載のテレビジョン装置では、リモコンの操作に基づいて、画面上に映像表示画面以外のメニュー画面、並びに入力切替画面を表示可能であるとともに、上記リモコンの操作に基づいて設定データが変更可能なテレビジョン装置において、
当該テレビジョン装置への操作指示を操作履歴として記録する操作履歴記録手段と、上記リモコンに設定されたパニックキーが操作されると、上記操作履歴記録手段が記録した操作履歴に基づいて、上記パニックキーが操作された以前に記録された操作履歴に対応する操作を行うことで誤操作からの復帰を行う誤操作復帰手段とを有する構成としてある。
【００１４】
上記のように構成した請求項２にかかる発明において、誤操作復帰手段は、パニックキーが操作された際、操作履歴記録手段が記録した操作履歴を基に誤操作からの復帰動作を行うので、簡易な操作で誤操作からの復帰が可能であるとともに、復帰状態を選択することができる。
【００１５】
そして、請求項３にかかる発明では、請求項２に記載のテレビジョン装置において、上記誤操作復帰手段は、上記パニックキーの操作に基づいて、映像のない外部入力を表示した場合は、直前に表示していたチャンネル、または外部入力に切り替え、放送のないチャンネルを表示した場合は、直前に表示していたチャンネル、または外部入力に切り替え、メニュー画面を表示した場合は、上記メニュー画面を消去し、画質調整により表示が変化した場合は、画質調整を初期設定に戻し、音声が無音の場合は、ボリュームをデフォルトに戻す構成としてある。
【００１６】
上記のように構成した請求項３にかかる発明において、あらかじめ決められた状態に基づいて設定のやり直しを行うので、簡易な操作で操作ミスから復帰させることができる。
【００１７】
さらに、請求項４にかかる発明では、請求項２または請求項３のいずれかに記載のテレビジョン装置において、上記誤操作復帰手段は、上記パニックキーの操作に基づいて、上記操作履歴記録手段が記録した操作履歴を画面に表示する構成としてある。
【００１８】
上記のように構成した請求項４にかかる発明において、上記パニックキーの操作に基づいて、上記操作履歴記録手段が記録した操作履歴を画面に表示するので、ユーザが何を間違えたかを確認することができ、操作の習熟度を上げる手助けをすることができる。
【００１９】
さらに、請求項５にかかる発明は、請求項４に記載のテレビジョン装置において、上記誤操作復帰手段は、上記画面に表示した操作履歴を上記リモコンにて選択することで、上記選択された操作履歴の状態に設定を戻す構成としてある。
【００２０】
上記のように構成した請求項５にかかる発明において、ユーザがリモコンの操作により、上記誤操作復帰手段にて、上記画面に表示した操作履歴を選択できるので、どの操作まで戻るかをユーザが選択でき、ユーザの所望に応じた復帰操作を行うことができる。
【００２１】
さらに、請求項６にかかる発明は、請求項４または請求項５のいずれかに記載のテレビジョン装置において、上記操作履歴記録手段は、上記操作履歴上で選択した操作履歴の回数を記録しており、上記操作履歴が選択された回数に合わせて画面上に選択された上記操作履歴に対応する操作の説明を行う説明画面を表示する構成としてある。
【００２２】
上記のように構成した請求項６にかかる発明において、上記操作履歴が選択された回数に合わせて画面上に選択された上記操作履歴に対応する操作の説明を行う説明画面を表示することで、よく間違える操作を記録して知らせるので、ユーザが次回からの操作ミスを少なくすることができる。
【００２３】
また、請求項７にかかる発明は、請求項５に記載のテレビジョン装置において、上記誤操作復帰手段は、上記パニックキーの操作に連動して、上記操作履歴に記録された操作を一つずつ実行する構成としている。
【００２４】
上記のように構成した請求項７にかかる発明において、上記誤操作復帰手段は、上記パニックキーの操作に連動して、上記操作履歴に記録された操作を一つずつ実行することで、操作ミスを一つずつ戻せるので、所望の設定を素早く行うことが可能となる。
【発明の効果】
【００２５】
以上説明したように本発明によれば、簡易な操作で誤操作からの復帰が可能であるとともに、復帰状態を選択することができるテレビジョン装置を提供することができる。
また請求項３にかかる発明によれば、あらかじめ決められた状態に基づいて設定のやり直しを行うので、簡易な操作で操作ミスから復帰させることができる。
そして請求項４にかかる発明によれば、今までの操作データを記録しているので、ユーザが何を間違えたかを確認することができ、操作の習熟度を上げる手助けをすることができる。
さらに請求項５にかかる発明によれば、どの操作まで戻るかをユーザが選択できるので、ユーザの所望に応じた復帰操作を行うことができる。
また請求項６にかかる発明によれば、よく間違える操作を記録して知らせるので、ユーザが次回からの操作ミスを少なくすることができる。
また請求項７にかかる発明によれば、操作ミスを一つずつ戻せるので、所望の設定を素早く行うことが可能となる。
さらに請求項１のような、より具体的な構成において、上述した請求項２〜請求項７の各発明と同様の作用を奏することはいうまでもない。
【発明を実施するための最良の形態】
【００２６】
以下、下記の順序に従って本発明の実施形態であるテレビジョン装置を説明する。
（１）テレビジョン装置の構成
（２）第一の実施の形態
（３）第二の実施の形態
（４）変形例１
（５）変形例２
（６）まとめ
【００２７】
（１）テレビジョン装置の構成 
以下、図１、図２、図３、図４、図５、図６、図７、図８を用いて、この発明に係るテレビジョン装置１０を具体化した第１の実施の形態について説明する。図１はテレビジョン装置１０のブロック構成図である。同図より、テレビジョン装置１０は、映像表示部１１とリモコン１２とから構成されている。映像表示部１１は、アンテナ１４が受信するテレビジョン電波から所定のチャンネルを選択して表示ディスプレイ１５に表示するとともに、入力端子１３ｂから入力された映像信号を基に表示ディスプレイ１５に表示する。リモコン１２は、上記した映像表示部１１を遠隔操作するためのものである。以下に各要素の構成と機能について説明していく。
【００２８】
リモコン１２は、押圧に応じて所定の操作信号を出力する操作キー１２ｂと、上記操作信号を受け入れるとともに、受け取った各操作信号を所定の赤外線信号に変換して送信する赤外線送信部１２ａとを有している。操作キー１２ｂとしては、映像表示部１１の電源のオン／オフを切り替える電源キー１２ｂ１、チャンネルを選択するためのチャンネルキー１２ｂ２、音量の増減を行うための音量キー１２ｂ３、画面にメニュー画面を表示するためのメニューキー１２ｂ４、上記したメニュー画面上でカーソルの上下同を行うための上下キー１２ｂ５、メニュー画面上で各操作の決定を行う決定キー１２ｂ６、さらには誤操作による画面の設定を前の設定に戻すためのパニックキー１２ｂ７を有している。上記したリモコン１２の各操作キーの操作に基づいてテレビジョン装置１０は所定の機能を実現する。
【００２９】
映像表示部１１は、アンテナ１４が受信したテレビジョン電波を基に、映像を表示するための映像信号と、音声を出力するための音声信号を出力するメイン基板１３と、メイン基板１３が生成した映像信号を基に、映像を表示する表示ディスプレイ１５と、メイン基板１３が生成した音声信号を基に、音声を出力するスピーカ１６とを有する構成である。上述した、メイン基板１３と、表示ディスプレイ１５と、スピーカ１６とは図示しない筺体に収容されている。
【００３０】
メイン基板１３は、コンセント１３ｊ１から供給された商用電源を基に、安定化電源を生成する一次側回路と、上記した一次側回路から図示しないトランスを介して供給された安定化電源をもとに、テレビジョン電波から映像と音声を出力するための二次側回路とから構成される。一次側回路は、コンセント１３ｊ１から供給された商用電源を整流したのち、トランジスタのスイッチング動作により昇圧、並びに減圧を行い安定化電源を生成する電源回路１３ｊを有する構成である。上記生成された安定化電源は、図示しないトランスを介して一次側回路に供給される。
【００３１】
二次側回路は、チューナ部１３ａと、入力端子１３ｂと、スイッチ部１３ｃと、映像回路１３ｄと、音声回路１３ｅと、リモコンＩ／Ｆ１３ｆと、マイコン１３ｇと、記録部１３ｈと、ＯＳＤ回路１３ｉとを有する構成である。一次側回路は、マイコン１３ｇの制御の基、映像表示部１１の機能を実現する。具体的には、上述したリモコン１２の操作に基づいて、赤外線送信部１２ａから赤外線信号がリモコンＩ／Ｆ１３ｆに出力されると、リモコンＩ／Ｆ１３ｆは受信した赤外線信号を再度操作信号に変換してマイコン１３ｇに出力する。マイコン１３ｇは、記録部１３ｈに記録されたプログラムを基に上記操作信号を受けて二次側回路を構成する各要素を制御することで各機能を実現する。本発明の一実施形態としての記録部１３ｈとしては、ＥＥＰＲＯＭやフラッシュＲＯＭ、さらにはマイコン１３ｇのワークテーブルとしてのＲＡＭ等が上げられる。
【００３２】
チューナ部１３ａは、アンテナ１４が受信したテレビジョン電波からリモコン１２のチャンネルキー１２ｂ２の操作により選択されたチャンネルに対応する搬送波を選択し、上記選択した搬送波から映像信号と、音声信号を生成する。上記生成された映像信号は、映像回路１３ｄに出力され、音声信号は音声回路１３ｅに出力される。本発明の一実施例としてのチューナ部１３ａは、ＰＬＬ方式のチューナが上げられる。また、受信するテレビジョン電波としては、アナログ放送とディジタル放送の両者を受信するものであってもよいし、ディジタル放送のみを受信するものであってもよい。
【００３３】
また、テレビジョン装置１０は、ビデオ等の外部機器と入力端子１３ｂを介して接続することで、ＤＶＤ等のメディアに記録された映像／音声データを映像表示部１１に入力する。入力端子１３ｂは、通常複数配置されており、リモコン１２のメニューキー１２ｂ４等の操作により所定入力端子１３ｂの入力切り替え操作を指示する信号がマイコン１３ｇに出力されると、マイコン１３ｇは上記指示を受けてスイッチ部１３ｃを切り替え、選択された入力端子１３ｂを介して入力される映像／音声信号を映像回路１３ｄと音声回路１３ｅに出力する。本発明の一実施形態のテレビジョン装置１０は入力端子１３ｂを３系統（１３ｂ１、１３ｂ２、１３ｂ３）有している。また、マイコン１３ｇによりスイッチ部１３ｃが所定の入力端子側に選択されると、チューナ部１３ａから出力される映像信号と音声信号は映像回路１３ｄと音声回路１３ｅには出力されないので、入力端子１３ｂから映像信号と音声信号が出力されない間は、後述する表示ディスプレイ１５とスピーカ１６は無入力状態となっている。
【００３４】
映像回路１３ｄは、入力された映像信号を基に表示ディスプレイ１５の表示パネル１５ｂに映像を表示するためのＲＧＢの各階調に対応するＲＧＢ信号を生成し、上記生成した信号を後述する表示パネル１５ｂの画素の配列に対応させるよう分割を行う。また、上記分割されたＲＧＢ信号は、ガンマ補正等の信号処理、さらにはユーザの任意による画質調整を施され表示ディスプレイ１５に出力される。画質調整の一例としては、映像の輝度を上げるブライトや、階調差を大きくするゲイン等が上げられる。また、上述した画質調整は、あらかじめ初期設定値を有しており、リモコン１２からの指示によりマイコン１３ｇにて初期設定の値に戻すことが可能である。
【００３５】
表示ディスプレイ１５は、映像回路１５ｂから出力されたＲＧＢ信号を基に、表示パネル１５ｂを駆動するための駆動電圧を出力する駆動回路１５ａと、ＲＧＢの各色が塗り分けられた画素をマトリクス状に形成する表示パネル１５ｂとを有する構成である。駆動回路１５ａは、上述したように映像回路１３ｄから出力される分割されたＲＧＢ信号を、アナログ信号に変換し表示パネル１５ｂの各画素に印加することでカラー画面の表示を実現している。本発明の一実施形態としての表示パネル１５ｂとしては、液晶パネル、プラズマディスプレイパネル、さらにはブラウン管が上げられる。
【００３６】
また、テレビジョン装置１０は、リモコン１２のメニューキー１２ｂ４を操作することにより、表示ディスプレイ１５にＯＳＤ映像により生成されたメニュー画面を生成することが可能である。リモコン１２のメニューキー１２ｂ４を操作すると、マイコン１３ｇは上記指示を受けてＯＳＤ回路１３ｉに対応するメニュー画面を構成するための映像データを映像回路１３ｄに出力するよう指示を出す。ＯＳＤ回路１３ｉは上記指示を受けて、映像回路１３ｄにＯＳＤ映像を出力するとともに、チューナ部１３ａ、または入力端子１３ｂから出力された映像信号に上記ＯＳＤ映像を重畳して表示ディスプレイ１５に出力する。
【００３７】
上述したテレビジョン装置１０の構成を用いて、リモコン操作の誤操作により通常の映像表示画面以外の表示画面を表示させた場合、ユーザは、リモコン１２のパニックキー１２ｂ７を押圧して通常の映像表示画面に復帰させる。このとき、ユーザがリモコン１２の誤操作により、テレビジョン装置１０が故障していると誤認する場合は以下の５つの場合が考えられる。
状況１、テレビジョン放送、並びに外部機器からの映像を表示させている場合に、誤って映像の無い外部入力に切り替えた場合。
状況２、放送の有るチャンネルを選択していて何らかの拍子に、放送の無いチャンネルを選択した場合。
状況３、画面に映像を表示させている状態で、何らかの拍子に画面にメニュー画面を表示させた場合。
状況４、何らかの操作で画質調整により画面の表示が大きく変わってしまった場合。
状況５、何らかの操作でボリュームが無音になった場合。
そのため、ユーザが上記した５つの状況に達した場合を想定して、テレビジョン装置１０は、復帰操作を行うよう構成している。しかしながら、誤操作による誤認の状態は上記した５つの状況に限定されず、以下に説明するフローを変更することにより様々な状況に対応可能である。
【００３８】
また、テレビジョン装置１０は、リモコン１２のパニックキー１２ｂ７の操作による誤操作から復帰を行うために二つの復帰設定を有しているおり誤操作からの復帰を調整可能である。まず、復帰設定１としては、あらかじめ誤操作の状況を予測しておき、ユーザがパニックキーを押圧した際、マイコン１３ｇはあらかじめ予測された誤操作の状態からいずれかを判断することで誤操作からの復帰を行う。また、復帰設定２としては、パニックキー１２ｂ７を押圧した際、ユーザ側に誤操作から復帰させる状態を任意で選択させることで復帰動作を行う。上記した二つの復帰設定は、メニュー画面上であらかじめ設定しておくことで、実行することが可能である。以下に各復帰設定の具体的な構成と機能の説明を行う。
【００３９】
テレビジョン装置１０は、上記５つの状況に対し復帰設定を変更することで、リモコン１２のパニックキー１２ｂ７の操作に基づいて通常画面への復帰を行う。また、上記した復帰設定は、復帰設定１としてマイコン１３ｇが自動で復帰状態を判断する場合と、復帰設定２としてユーザの操作に基づいて復帰を行う場合とに選択することができる。以下に具体的な説明を行う。
【００４０】
マイコン１３ｇは上記した場合における誤操作からの復帰を行うために、テレビジョン装置１０の各種設定を所定期間、操作履歴として記録部１３ｈに記録させている。本発明の一実施形態としては上記した操作履歴を操作履歴テーブルを作成することで記録している。また、操作履歴テーブルは、上記した５つの状況に対応するため、外部入力の操作に対応する操作と、チャンネルの選択操作に対する操作と、メニュー画面の選択並びに操作に対する操作と、画質調整に対応するする操作と、音量の調整操作に対応する操作とを記録していく。上述したように、操作履歴テーブルに記録する操作を限定することにより、マイコン１３ｇの判断処理を迅速に行うことが可能となる。また、これによりマイコン１３ｇと、記録部１３ｈにて操作履歴記録手段を構成する。
【００４１】
以下に操作履歴テーブルの説明を行う。図２は、操作履歴テーブルを表す図である。操作履歴テーブルは、図中左端の列より操作を行った時間である「操作時間」、操作内容である「操作名称」、操作した回数である「操作回数」をそれぞれ表記している。「操作名称」に記載される操作の一例として、ユーザがリモコン等によりチャンネル１を選択した場合は「チャンネル１選択」と記録し、メニューキーを押して画面にメニュー画面を表示また場合は、「メニュー画面表示」と記録し、入力端子１３ｂ３に切り替えた場合は、「ビデオ３選択」が記録され、ミュートキー１２ｂ８を操作した場合は、「ミュートキー」が記録される。テレビジョン装置１０は、上述した操作履歴テーブルを参照して、マイコン１３ｇが、ユーザが誤操作を行った際にパニックキー１２ｂ７を操作することで所定の復帰動作の指示を出すための誤操作復帰プログラムを記録部１３ｈに記録している。以下に誤操作復帰プログラムの具体的なフローを説明する。これにより、マイコン１３ｇと、記録部１３ｈは誤操作復帰手段を構成する。
【００４２】
（２）誤操作復帰設定１
図３は、復帰設定１を選択した際、マイコン１３ｇが実行する一連のフローチャートである。同図より、リモコン１２の電源キー１２ｂ１を操作して映像表示部１１の電源をオンすると、マイコン１３ｇは待機モードから復帰する。上記した状態で、リモコン１２からチャンネルキー１２ｂ２を操作したチャンネル操作や、メニューキー１２ｂ４の操作によるメニュー画面の表示指示を受け入れると（ステップＳ１００）、マイコン１３ｇは、上記した各操作信号を操作履歴テーブルに記録していく（ステップＳ１１０）。次にマイコン１３ｇは、受信した操作信号を基にテレビジョン装置１０を構成する各要素に指示を出す（ステップＳ１２０）。
【００４３】
上述したフローの流れの中で、リモコン１２のパニックキー１２ｂ７の押圧により、マイコン１３ｇにパニック信号が入力されると（ステップＳ１３０）、マイコン１３ｇは、操作履歴テーブルの操作履歴を参照し、ユーザが上記した５つの状況の中でどの状況に陥っているかを判断する（ステップＳ１４０）。マイコン１３ｇが操作履歴テーブルを参照して状況を判断する方法として、「外部入力の操作」、「チャンネル操作」、「メニュー画面の操作」、「画質調整の操作」、「ミュートキー操作」の６項目を中心として判断していく。
【００４４】
まず、マイコン１３ｇは、操作履歴テーブルの最新の履歴を参照し、操作履歴テーブルの最新の履歴が外部入力操作であると判断した場合は（ステップＳ１５０）、マイコン１３ｇは操作履歴テーブルに記録された二番目に新しい履歴が外部入力操作であるかどうかを判断する（ステップＳ１６０）。マイコン１３ｇが外部操作履歴テーブルに記録された二番目に新しい履歴が外部入力であると判断した場合は、マイコン１３ｇは操作履歴テーブルの二番目に記録された操作履歴の「操作名称」（例えば外部入力２）に画面を切り替えるようスイッチ部１３ｃに指示を出す。
【００４５】
また、操作履歴テーブルの二番目に新しい操作履歴が外部入力操作でない場合は、マイコン１３ｇは、操作履歴テーブルの二番目に新しい操作履歴がチャンネル操作であるかどうかを判断する（ステップＳ１８０）。マイコン１３ｇが操作履歴テーブルの二番目に新しい操作履歴がチャンネル操作であると判断した場合は、マイコン１３ｇは操作履歴テーブルの二番目に新しく記録された操作履歴（チャンネル１選択）を再度選択するようチューナ部１３ａに指示を出す（ステップＳ１９０）。また、ステップＳ１８０でマイコン１３ｇが操作履歴テーブルの二番目に新しい操作履歴が、外部入力でもチャンネル操作でもない場合は、マイコン１３ｇは操作履歴テーブルに記録された三番目以降の操作から、外部入力切替かチャンネル操作のいずれかが見つかるまで検索し、最初に検索された操作を行うことで復帰指示を出す（ステップＳ２００）
【００４６】
ステップＳ１５０にて、マイコン１３ｇが操作履歴テーブルに記録された最も新しい操作履歴が外部入力ではないと判断した場合、マイコン１３ｇは最新の操作履歴がチャンネル選択操作であるかどうかを判断する（ステップＳ２１０）。ステップＳ２１０にてマイコン１３ｇが最新の履歴がチャンネル操作であると判断した場合は、マイコン１３ｇは、操作履歴テーブルの最新の履歴以前の操作履歴からチャンネル操作を検索し（ステップＳ２２０）、最初に検索されたチャンネル操作（例えばチャンネル３選択）に対応するチャンネルに画面を切り替えるようチューナ部１３ａに指示を出す（ステップＳ２３０）。
【００４７】
ステップＳ２１０にて、マイコン１３ｇが操作履歴テーブルの最新の操作履歴がチャンネル操作でないと判断すると、マイコン１３ｇは、操作履歴テーブルの最新の操作履歴がメニュー画面選択であるかどうかを判断する（ステップＳ２４０）。ステップＳ２４０にて、マイコン１３ｇが操作履歴テーブルの最新の操作履歴がメニュー画面選択であると判断すると、マイコン１３ｇは、操作履歴テーブルに記録された最新の操作履歴以前の操作履歴から、チャンネル選択操作または外部入力選択操作を検索し（ステップＳ２５０）、マイコン１３ｇは最初に検索された操作名称に対応する復帰指示を出力する（ステップＳ２６０）。
【００４８】
ステップＳ２４０にて、マイコン１３ｇが操作履歴テーブルの最新の操作履歴がメニュー画面選択でないと判断すると、マイコン１３ｇは操作履歴テーブルの最初の履歴が画質調整操作であるかどうかを判断する（ステップＳ２７０）。マイコン１３ｇが操作履歴テーブルの最初の操作履歴が画質調整操作であると判断すると、マイコン１３ｇは画質調整を初期設定値に戻すよう映像回路１３ｄに指示を出す（ステップＳ２８０）。また、ステップＳ２７０にて、マイコン１３ｇが操作履歴テーブルの最新の操作履歴が画質調整操作でないと判断すると、マイコン１３ｇは、操作履歴テーブルの最新の操作履歴がミュートキー操作でないかを判断する（ステップＳ２９０）。マイコン１３ｇが、最新の履歴をミュートキー操作であると判断すると、マイコン１３ｇは音声回路１３ｅに音量を初期状態に戻すよう指示を出す（ステップＳ３００）。また、マイコン１３ｇが上述したいずれの状態にもあてはまらないと判断した場合は、すべてを初期設定値に戻すことで対応する（ステップＳ３１０）。
【００４９】
上述した説明より、テレビジョン装置１０は、パニックキー１２ｂ７の操作に基づいて状況１として、映像のない外部入力を表示した場合は、直前に表示していたチャンネル、または外部入力に切り替える。また、状況２として、放送のないチャンネルを表示した場合は、直前に表示していたチャンネル、または外部入力に切り替える。さらに、状況３として、画面の大部分を占めるメニュー画面を表示した場合は、上記メニュー画面を消去する。また、状況４として、画質調整により表示が大きく変化した場合は、画質調整を初期設定に戻す。最後に状況５として音声が無音の場合は、ボリュームをデフォルトに戻す。
【００５０】
（３）復帰設定２
上述した復帰設定１では、誤操作からの復帰設定をマイコン１３ｇが全て自動で行うので、テレビジョン装置１０の設定機能の習熟度が低いユーザに対しては非常に有効である。次に復帰設定２について以下に説明を行う。復帰設定２は、パニックキー１２ｂ７を操作した後のテレビジョン装置１０の復帰動作をユーザの任意で変更することが可能となる。これにより、復帰設定１の場合と異なり個々のユーザの誤操作に対応した誤操作からの復帰を行うことが可能となる。
【００５１】
図４は、本発明の一実施形態である復帰設定２を選択した際の、マイコンが行う一連のフローである。同図より、マイコン１３ｇは、リモコン１２のパニックキー１２ｂ７からの操作信号を受け入れると（ステップＳ４３０）、記録部１３ｈに記録された操作履歴テーブルを画面に表示するよう映像回路１３ｄに指示を出す（ステップＳ４４０）。図５は、画面に表示された操作履歴テーブルを表した図である。本発明の一実施形態では、画面に表示される操作履歴テーブルは、図２で表した操作履歴テーブルと同様のものを表示しているがこれに限定されず、操作履歴テーブルから操作を選択可能なものであればよい。図中、各操作が表記された欄には、リモコン１２の上下キー１２ｂ５により上下するアイコン１７が表記され、上記アイコン１７の上下により選択した操作履歴を決定キー１２ｂ６の押圧により選択する。
【００５２】
上述した上下キー１２ｂ５と、決定キー１２ｂ６の操作により操作履歴テーブルの所定の操作がアイコン１７により選択されると（ステップＳ４５０）、マイコン１３ｇは、操作履歴テーブル上の上記選択された操作履歴に対応する操作を指示する（ステップＳ４６０）。上記した一連の流れは、パニックキー１２ｂ７が押圧されるまで繰り返され、パニックキー１２ｂ７が押圧されると（ステップＳ４７０）、マイコン１３ｇは、画面に表示していた操作履歴テーブルの表示を解除し（ステップＳ４８０）通常の動作に戻る。
【００５３】
上述した復帰設定２における誤操作からの復帰は、ユーザが操作履歴を選択することで復帰させたい状態を選択することが可能となる。具体的には、画質設定などの設定操作を初期設定まで戻さず、前回または、前々回の設定状態に戻したいときなどは非常に有効である。また、復帰設定１とことなり、ユーザが操作履歴を確認しながら誤操作からの復帰を行うことが可能となるので、ユーザが誤操作の原因を判断することができ設定操作の習熟度を高める補助となる。
【００５４】
（４）変形例１
また、画面に表示された操作履歴テーブルの各操作履歴を選択する際、パニックキー１２ｂ７を押圧するごとに、マイコン１３ｇは操作履歴テーブルに選択された各操作履歴を二番目に新しい操作履歴から順に選択し、上記選択した操作に基づいて操作復帰動作を行うものであってもよい。これにより、ユーザは、パニックキー１２ｂ７を押圧するごとに、画面上、および音声にて一つずつ前に復帰した状態を確認することが可能となり、ユーザの任意で復帰させたい状態まで戻すことが可能となる。さらには、誤操作を一つずつ戻せるので、所望の設定を素早く行うことが可能となる。
【００５５】
（５）変形例２
また、上述した復帰設定２において、ユーザの操作の習熟度を上げるために、画面上で操作履歴テーブルを選択した際、操作履歴の選択回数に応じて操作を補足するための説明画面を表示させてもよい。本発明の一実施形態の説明画面は、ユーザが図４のステップＳ４５０にて復帰操作を選択した際、リモコン１２を用いた通常の操作による復帰方法が表示される。上記機能は、ユーザが次回以降から同様の誤操作を行った際、パニックキー１２ｂ７を使用することなく復帰操作を行うための手助けとなる。
【００５６】
上記機能を実現するために、テレビジョン装置１０は、記録部１３ｈに操作履歴テーブルに記録される操作履歴の復帰方法を対応付けた説明画面選択テーブルを記録している。また、上記説明画面選択テーブルにて選択された説明画面を表示するためのＯＳＤ映像をＯＳＤ回路１３ｉに記録している。図６は説明画面選択テーブルを表した図である。同図より、一番上の列には、操作履歴テーブルに記録される操作内容が左から順に表記され、各行の一番左にも、同様に操作履歴テーブルに記録される操作内容を上から順に表記されている。各列と各行にて特定されるマスには、各行に表記された操作内容から対応する列に表記された操作内容に戻すための操作説明が記録されたアドレスが記載されている。
【００５７】
図７は、説明画面を表示するためにマイコン１３ｇが実行するフローチャートである。図４のステップＳ４５０にて画面に表示された操作履歴テーブル上で、アイコン１７により所定の操作履歴が選択されると、マイコン１３ｇは、操作履歴テーブル上で、アイコン１７より選択された操作履歴の選択回数を参照する（ステップＳ６００）。操作履歴の選択回数があらかじめ設定されたしきい値Ｎ１以上であるとマイコン１３ｇが判断すると、マイコン１３ｇは、操作履歴テーブルの最新の操作履歴と、一つ前の操作履歴を参照し、上記２つの履歴に対応する説明画面のアドレスを説明画面選択テーブルから選択する。次に、上記選択した一つ前の操作履歴とそのまた一つ前の操作履歴を参照し、上記２つの履歴に対応する説明画面のアドレスを同様に説明画面選択テーブルから選択する。同様なことは、操作履歴テーブルにて選択された操作履歴まで行われる（ステップＳ６１０）。マイコン１３ｇは上記選択したアドレスに対応する操作説明をＯＳＤ回路１３ｉより参照し（ステップＳ６２０）、上記操作説明を表示するよう映像回路１３ｄに指示する（ステップＳ６２０）。
【００５８】
図８は、説明画面が表示された操作履歴テーブルを表す図である。同図より、操作履歴テーブルの二番目に新しい操作履歴をアイコン１７にて選択して、選択回数がしきい値Ｎ１以上であった場合、画面には、入力端子１３ｂに切り替えた状態からチャンネル２を選択する状態に戻すための説明画面が噴出しで表示される。また、アイコン１７によりしきい値Ｎ１以上の選択回数を有する三番目以降の操作履歴を選択した場合は、上記した説明画面は各操作履歴間の復帰操作に対応した説明画面が表示されることとなる。これにより、画面上では、現在の設定状態から、操作履歴テーブルにて選択した操作履歴まで復帰させるための操作説明が表示され、ユーザが上記説明を参照することで操作の習熟度を上達させる手助けを行う。上述した、説明画面の選択並びに、表示方法は、これに限定されず、操作履歴テーブルにて選択した操作履歴をキーワードとして、文字検索するものであってもよい。これにより、プログラムを簡素化できるとともに、説明画面を表示するための時間を短くすることが可能となる。
【００５９】
（６）まとめ
誤操作による誤った設定を行った場合でも、リモコンの簡易操作にて誤操作からの復帰を行うことが可能であるとともに、ユーザ側で復帰後の状態を選択可能なテレビジョン装置の提供を目的とするために、当該テレビジョン装置への操作指示を操作履歴として記録する操作履歴記録手段と、上記リモコンに設定されたパニックキーが操作されると、上記操作履歴記録手段が記録した操作履歴に基づいて、上記パニックキーが操作された以前に記録された操作履歴に対応する操作を行うことで誤操作からの復帰を行う誤操作復帰手段とを有する。
【００６０】
また、上記目的を達成するために、請求項２に記載のテレビジョン装置では、リモコンの操作に基づいて、画面上に映像表示画面以外のメニュー画面、並びに入力切替画面を表示可能であるとともに、上記リモコンの操作に基づいて設定データが変更可能なテレビジョン装置において、
当該テレビジョン装置への操作指示を操作履歴として記録する操作履歴記録手段と、上記リモコンに設定されたパニックキーが操作されると、上記操作履歴記録手段が記録した操作履歴に基づいて、上記パニックキーが操作された以前に記録された操作履歴に対応する操作を行うことで誤操作からの復帰を行う誤操作復帰手段とを有する構成としてある。
【００６１】
上記のように構成した請求項２にかかる発明において、誤操作復帰手段は、パニックキーが操作された際、操作履歴記録手段が記録した操作履歴を基に誤操作からの復帰動作を行うので、簡易な操作で誤操作からの復帰が可能であるとともに、復帰状態を選択することができる。
【００６２】
そして、請求項３にかかる発明では、請求項２に記載のテレビジョン装置において、上記誤操作復帰手段は、上記パニックキーの操作に基づいて、映像のない外部入力を表示した場合は、直前に表示していたチャンネル、または外部入力に切り替え、放送のないチャンネルを表示した場合は、直前に表示していたチャンネル、または外部入力に切り替え、メニュー画面を表示した場合は、上記メニュー画面を消去し、画質調整により表示が変化した場合は、画質調整を初期設定に戻し、音声が無音の場合は、ボリュームをデフォルトに戻す構成としてある。
【００６３】
上記のように構成した請求項３にかかる発明において、あらかじめ決められた状態に基づいて設定のやり直しを行うので、簡易な操作で操作ミスから復帰させることができる。
【００６４】
さらに、請求項４にかかる発明では、請求項２または請求項３のいずれかに記載のテレビジョン装置において、上記誤操作復帰手段は、上記パニックキーの操作に基づいて、上記操作履歴記録手段が記録した操作履歴を画面に表示する構成としてある。
【００６５】
上記のように構成した請求項４にかかる発明において、上記パニックキーの操作に基づいて、上記操作履歴記録手段が記録した操作履歴を画面に表示するので、ユーザが何を間違えたかを確認することができ、操作の習熟度を上げる手助けをすることができる。
【００６６】
さらに、請求項５にかかる発明は、請求項４に記載のテレビジョン装置において、上記誤操作復帰手段は、上記画面に表示した操作履歴を上記リモコンにて選択することで、上記選択された操作履歴の状態に設定を戻す構成としてある。
【００６７】
上記のように構成した請求項５にかかる発明において、ユーザがリモコンの操作により、上記誤操作復帰手段にて、上記画面に表示した操作履歴を選択できるので、どの操作まで戻るかをユーザが選択でき、ユーザの所望に応じた復帰操作を行うことができる。
【００６８】
さらに、請求項６にかかる発明は、請求項４または請求項５のいずれかに記載のテレビジョン装置において、上記操作履歴記録手段は、上記操作履歴上で選択した操作履歴の回数を記録しており、上記操作履歴が選択された回数に合わせて画面上に選択された上記操作履歴に対応する操作の説明を行う説明画面を表示する構成としてある。
【００６９】
上記のように構成した請求項６にかかる発明において、上記操作履歴が選択された回数に合わせて画面上に選択された上記操作履歴に対応する操作の説明を行う説明画面を表示することで、よく間違える操作を記録して知らせるので、ユーザが次回からの操作ミスを少なくすることができる。
【００７０】
また、請求項７にかかる発明は、請求項５に記載のテレビジョン装置において、上記誤操作復帰手段は、上記パニックキーの操作に連動して、上記操作履歴に記録された操作を一つずつ実行する構成としている。
【００７１】
上記のように構成した請求項７にかかる発明において、上記誤操作復帰手段は、上記パニックキーの操作に連動して、上記操作履歴に記録された操作を一つずつ実行することで、操作ミスを一つずつ戻せるので、所望の設定を素早く行うことが可能となる。
【００７２】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００７３】
【図１】テレビジョン装置のブロック構成図である。
【図２】操作履歴テーブルを表す図である。
【図３】復帰設定１を選択した際、マイコンが実行する一連のフローチャートである。
【図４】復帰設定２を選択した際の、マイコンが行う一連のフローである。
【図５】画面に表示された操作履歴テーブルを表した図である。
【図６】説明画面選択テーブルを表した図である。
【図７】マイコンが実行する説明画面を表示するためのフローチャートである。
【図８】説明画面が表示された操作履歴テーブルを表す図である。
【符号の説明】
【００７４】
１０…テレビジョン装置、１１…映像表示部、１２…リモコン、１２ａ…赤外線送信部、１２ｂ…操作キー、１２ｂ１…電源キー、１２ｂ２…チャンネルキー、１２ｂ３…音量キー、１２ｂ４…メニューキー、１２ｂ５…上下キー、１２ｂ６…決定キー、１２ｂ７…パニックキー、１２ｂ８…ミュートキー、１３…メイン基板、１３ａ…チューナ部、１３ｂ…入力端子、１３ｃ…スイッチ部、１３ｄ…映像回路、１３ｅ…音声回路、１３ｆ…リモコンＩ／Ｆ、１３ｇ…マイコン、１３ｈ…記録部、１３ｉ…ＯＳＤ回路、１３ｊ…電源回路、１３ｊ１…コンセント、１４…アンテナ、１５…表示ディスプレイ、１５ａ…駆動回路、１５ｂ…表示パネル、１６…スピーカ、１７…アイコン、
【図１】
2007306061.tif 000003
【図２】
2007306061.tif 000004
【図３】
2007306061.tif 000005
【図４】
2007306061.tif 000006
【図５】
2007306061.tif 000007
【図６】
2007306061.tif 000008
【図７】
2007306061.tif 000009
【図８】
2007306061.tif 000010